(57)【要約】【課題】装置の設置状況に応じて、操作可能な項目と操作する必要のない項目を装置が自動判別し、ユーザーに提示可能な映像表示装置を提供すること。【解決手段】映像を投影面に投射表示する映像表示装置であって、操作可能な項目を表示する表示手段と、装置本体の設置状況を表す情報を取得する取得手段と、第１の時刻の装置本体の設置状況を表す第１の情報と、第１の時刻よりも前の第２の時刻の装置本体の設置状況を表す第２の情報とに基づいて、表示手段の表示を変更する制御手段と、を有する。【選択図】図１
2016024453.tif 000002
【特許請求の範囲】
【請求項１】
映像を投影面に投射表示する映像表示装置であって、
操作可能な項目を表示する表示手段と、
装置本体の設置状況を表す情報を取得する取得手段と、
第１の時刻の装置本体の設置状況を表す第１の情報と、前記第１の時刻よりも前の第２の時刻の装置本体の設置状況を表す第２の情報とに基づいて、前記表示手段の表示を変更する制御手段と、を有することを特徴とする映像表示装置。
【請求項２】
前記第２の情報および操作された前記項目の操作結果を記憶する記憶手段を更に有することを特徴とする請求項１に記載の映像表示装置。
【請求項３】
前記制御手段は、前記第１の情報と前記第２の情報のうち一致する情報がある場合、前記第１および第２の情報に関連する項目の表示の優先度を下げるように前記表示手段の表示を変更することを特徴とする請求項１または２に記載の映像表示装置。
【請求項４】
前記制御手段は、前記第１および第２の情報に関連する項目に対して、並び順の下位への変更、色の変更、非表示、のうち少なくとも１つを実行することで、表示の優先度を下げることを特徴とする請求項３に記載の映像表示装置。
【請求項５】
前記制御手段が前記第１および第２の情報に関連する項目の表示の優先度を下げた場合、前記第１および第２の情報に関連する項目への操作による操作結果は反映されないことを特徴とする請求項３または４に記載の映像表示装置。
【請求項６】
前記制御手段は、前記第１の情報と前記第２の情報のうち一致する情報がない場合、前記第１および第２の情報に関連する項目の表示の優先度を上げるように前記表示手段の表示を変更することを特徴とする請求項１から５のいずれか１項に記載の映像表示装置。
【請求項７】
前記制御手段は、前記第１および第２の情報に関連する項目の並び順を上位へ変更することで、表示の優先度を上げることを特徴とする請求項６に記載の映像表示装置。
【請求項８】
前記第１および第２の情報は、前記投影面までの距離、前記装置本体の傾き、レンズ交換の実施の有無、周辺光量、外気温、前記投影面の色、のうち少なくともいずれか１つであることを特徴とする請求項１から７のいずれか１項に記載の映像表示装置。
【請求項９】
前記第１および第２の情報に関連する項目は、フォーカス操作に関連する項目、ズーム操作に関連する項目、レンズシフト操作に関連する項目、台形補正操作に関連する項目、壁色補正設定操作に関連する項目、上下左右反転表示操作に関連する項目、イメージモード選択に関連する項目、のうち少なくとも１つであることを特徴とする請求項１から８のいずれか１項に記載の映像表示装置。
【発明の詳細な説明】
【技術分野】
【０００１】
本発明は、映像表示装置に関し、特に投射型の映像表示装置に関する。
【背景技術】
【０００２】
従来、一度設定した項目が変更されることを抑制する機能を備えた投射型の映像表示装置が知られている。例えば、特許文献１では、ズーム、フォーカス、シフトなど各光学系の設定操作に関して、操作可能状態または操作禁止状態を設定可能な液晶プロジェクタが開示されている。
【先行技術文献】
【特許文献】
【０００３】
【特許文献１】特開２００３−３１５９１３号公報
【発明の概要】
【発明が解決しようとする課題】
【０００４】
しかしながら、特許文献１に開示された従来技術では、操作禁止する項目をユーザーが指定する必要があるため煩わしい。また、操作禁止された項目を使用したい場合には、禁止された項目の解除が必要になる。さらに、ある項目が操作禁止された状態であることを他のユーザーが知らず、使用時に故障だと誤解してしまうおそれがある。
【０００５】
このような課題を鑑みて、本発明は、設置状況に応じて、操作可能な項目と操作する必要のない項目を自動判別し、ユーザーに提示可能な映像表示装置を提供することを目的とする。
【課題を解決するための手段】
【０００６】
本発明の一側面としての映像表示装置は、映像を投影面に投射表示する映像表示装置であって、操作可能な項目を表示する表示手段と、装置本体の設置状況を表す情報を取得する取得手段と、第１の時刻の装置本体の設置状況を表す第１の情報と、前記第１の時刻よりも前の第２の時刻の装置本体の設置状況を表す第２の情報とに基づいて、前記表示手段の表示を変更する制御手段と、を有することを特徴とする。
【発明の効果】
【０００７】
本発明によれば、設置状況に応じて、操作可能な項目と操作する必要のない項目を自動判別し、ユーザーに提示可能な映像表示装置を提供することができる。
【図面の簡単な説明】
【０００８】
【図１】本発明の実施形態に係る投射型の映像表示装置の全体構成を示すブロック図である
【図２】処理の流れを示すフローチャートである。
【図３】操作画面の表示の一例を示す図である。
【発明を実施するための形態】
【０００９】
以下、本発明の実施例について、図面を参照しながら詳細に説明する。各図において、同一の部材については同一の参照番号を付し、重複する説明は省略する。  図１は、本発明の実施形態に係る投射型の映像表示装置１０の全体構成を示すブロック図である。映像表示装置１０は、映像信号入力端子１００、映像信号処理回路１０１、映像投射光学系１０２、制御マイコン１０３、ＯＳＤ生成回路１０４、光学駆動装置１０５、不揮発メモリ１０６、センサ１０７、操作検出部１０８を有する。
【００１０】
映像信号入力端子１００に入力された映像信号は、映像信号処理回路１０１でＡ／Ｄ変換された後、映像投射光学系１０２に送信される。映像投射光学系１０２を通過した投射映像は、ランプ（不図示）の作用により投影面に投射表示される。制御マイコン（制御手段）１０３は、映像表示装置１０全体の制御を行うＣＰＵである。ＯＳＤ生成回路１０４は、グラフィックス描画を行う。光学駆動装置１０５は、映像投射光学系１０２に備えられた光学系を駆動する。不揮発メモリ（記憶手段）１０６は、不図示の操作画面（表示手段）に表示された項目の設定値や、ユーザーにより操作された項目の操作結果を記憶する。センサ（取得手段）１０７は、映像表示装置１０の設置状況を表す情報を取得する。映像表示装置１０の設置状況を表す情報とは、投影面までの距離、映像表示装置１０の傾き、レンズ交換の実施の有無、周辺光量、外気温、投影面の色、のうち少なくともいずれか１つである。例えば、センサ１０７として、測距センサを使用することで投影面までの距離を取得可能である。また、角度センサを使用することで装置本体の傾きを取得可能である。操作検出部１０８は、映像表示装置１０のランプのＯＮ／ＯＦＦ操作を検出し、検出結果を制御マイコン１０３に送信する。
【００１１】
図２および図３を参照して、操作画面の変更方法の変更について説明する。図２は処理の流れを示すフローチャートであり、（ａ）はランプのＯＮ操作処理、（ｂ）はランプのＯＦＦ操作処理を示している。図３は、操作画面の表示の一例を示す図であり、（ａ）は変更前、（ｂ）は変更後の画面を示している。
【００１２】
まず、図２（ａ）を用いて、ランプのＯＮ操作処理について説明する。
【００１３】
ステップＳ２００では、ボタン操作やリモコン操作によって、ランプのＯＮ操作が行われる。
【００１４】
ステップＳ２０１では、操作検出部１０８がランプのＯＮ操作を検出し、検出結果を制御マイコン１０３に送信する。
【００１５】
ステップＳ２０２では、制御マイコン１０３がセンサ１０７から映像表示装置１０の設置状況を表す情報（第１の情報）を取得する。
【００１６】
ステップＳ２０３では、制御マイコン１０３が不揮発メモリ１０６に前回使用時にセンサ１０７が取得した映像表示装置１０の設置状況を表す情報（第２の情報）が記憶されているかどうかを確認する。記憶されている場合、ステップＳ２０４に進み、記憶されていない場合、ステップＳ２０７に進む。
【００１７】
ステップＳ２０４では、制御マイコン１０３が不揮発メモリ１０６から第２の情報を読み出す。
【００１８】
ステップＳ２０５では、制御マイコン１０３は、ステップＳ２０２でセンサ１０７から取得した第１の情報と、ステップＳ２０４で不揮発メモリ１０６から読み出した第２の情報とを比較し、一致する情報があるかどうかを確認する。すなわち、映像表示装置１０の設置状況に変化があったか否かの判定を行う。一致する情報がある場合、すなわち前回使用時から映像表示装置１０の設置状況に変化がないと判定された場合、ステップＳ２０６に進む。一致する情報がない場合、すなわち前回使用時から映像表示装置１０の設置状況に変化があったと判定された場合、ステップＳ２０７に進む。
【００１９】
ステップＳ２０６では、すでに設定済の第１および第２の情報に関連する項目を操作する必要性は低いので、制御マイコン１０３は、関連する項目の表示の優先度を下げたメニュー画面を生成して操作画面に表示させる。本実施形態では、第１および第２の情報に関連する項目に対して、並び順の下位への変更、色の変更、非表示、のうち少なくとも１つを実行することで、表示の優先度を下げている。例えば、前回使用時と投影面までの距離が一致していれば、レンズフォーカス操作は行う必要がないと判定できる。このとき、図３に示すように、制御マイコン１０３は、レンズ操作に関連する項目の並び順を下位に変更し、項目の色を変更したメニュー画面を生成して操作画面に表示させる。なお、操作画面に表示される項目のうち、第１および第２の情報に関連する項目は、フォーカス操作、ズーム操作、レンズシフト操作、台形補正操作、壁色補正設定操作、上下左右反転表示操作、イメージモード選択、のうち少なくとも１つに関連する項目である。
【００２０】
また、本実施形態では、表示の優先度が下がった項目に関しては、ユーザーの操作により設定が変更された場合でも、不揮発メモリ１０６は記憶しない。そのため、ユーザーは自由に映像表示装置１０の設定を操作できるうえに、誤って優先度が下がった項目を操作したとしても、その操作結果は反映されずに、次回装置起動時に操作前の状態に戻る。したがって、ユーザーは、安心して様々な機能を試すことができる。
【００２１】
ステップＳ２０７では、操作画面の表示を変更せず、操作画面の初期状態の表示または前回使用時の表示のままにしておく。本実施形態では、ステップＳ２０５で映像表示装置１０の設置状況に変化があった場合についても、操作画面の表示を変更していない。しかしながら、この場合については、第１および第２の情報に関連する項目を操作する可能性は高いので、関連する項目の表示の優先度を上げたメニュー画面を生成して操作画面に表示させてもよい。例えば、第１および第２の情報に関連する項目の並び順を上位に変更することで、表示の優先度を上げることが可能となる。
【００２２】
ステップＳ２０８では、ランプがＯＮし、ステップＳ２０９で処理を終了する。
【００２３】
次に、図２（ｂ）を用いて、ランプのＯＦＦ操作処理について説明する。
【００２４】
ステップＳ２２０では、ボタン操作やリモコン操作によって、ランプのＯＦＦ操作が行われる。
【００２５】
ステップＳ２２１では、操作検出部１０８がランプのＯＦＦ操作を検出し、検出結果を制御マイコン１０３に送信する。
【００２６】
ステップＳ２２２では、制御マイコン１０３がセンサ１０７から映像表示装置１０の設置状況を表す情報（第２の情報）を取得する。
【００２７】
ステップＳ２２３では、制御マイコン１０３がステップＳ２２２で取得した情報を不揮発メモリ１０６に書き込む。
【００２８】
ステップＳ２２４では、ランプがＯＦＦし、ステップＳ２２５で処理を終了する。
【００２９】
以上説明したように、設置状況により操作する必要性の低い、あるいは操作する必要性が高いと判断された項目の表示の優先度を変更したメニュー画面を操作画面に表示させている。すなわち、操作可能な項目と操作する必要のない項目を自動判別して提示するので、ユーザーは操作すべき項目を容易に判断できる。なお、本実施形態では、第１および第２の情報に関連する項目に対して、並び順の変更、色の変更、非表示のうち少なくとも１つを実行することで、表示の優先度を変更している。
【００３０】
また、ランプＯＦＦ処理、ランプＯＮ処理が行われるタイミングは、ユーザーが意図的に電源ＯＦＦ、電源ＯＮするタイミング以外にも起こり得る。例えば、無信号状態が一定時間続くとランプの光を消して映像非表示状態に移行するプロジェクタでは、映像非表示状態から映像表示状態に遷移するタイミングで設置状況の判定を行う。
【００３１】
また、本実施形態では、ランプＯＮ操作検出後に第１の情報を取得し、ランプＯＦＦ操作検出後に第２の情報を不揮発メモリ１０６に記憶させている。しかしながら、一定時間ごとに、例えば、第１の時刻にセンサ１０７から第１の情報を取得し、第１の時刻より前の第２の時刻に第２の情報を不揮発メモリ１０６に記憶させてもよい。
【００３２】
以上、本発明の好ましい実施形態について説明したが、本発明はこれらの実施形態に限定されず、その要旨の範囲内で種々の変形及び変更が可能である。
【符号の説明】
【００３３】
１０    映像表示装置
１０３  制御マイコン（制御手段）
１０７  センサ（取得手段）
【図１】
2016024453.tif 000003
【図２】
2016024453.tif 000004
【図３】
2016024453.tif 000005